【事件の表示】
　特願２００４−１８１７６４「表示装置及びその駆動制御方法」拒絶査定不服審判事件〔平成１８年　１月　５日出願公開、特開２００６−　　３７５２〕について、次のとおり審決する。
【結　論】
　本件審判の請求は、成り立たない。
【理　由】
１　手続の経緯
　
　平成１６年　６月１８日　特許出願
　平成１９年　７月２４日　拒絶理由通知（同年７月２７日発送）
　平成１９年　９月２５日　意見書・手続補正書
　平成２１年　７月２２日　拒絶査定（同年７月２４日送達）
　平成２１年１０月２２日　本件審判請求・手続補正書
　平成２２年１１月　８日　審尋（同年１１月３０日発送）
　平成２３年　１月２８日　回答書
　
２　平成２１年１０月２２日付け手続補正についての補正却下の決定 
　
[補正却下の決定の結論] 
　
　平成２１年１０月２２日付け手続補正を却下する。 
　
[理由］独立特許要件違反 
　
　平成２１年１０月２２日付け手続補正（以下「本件補正」という。）により、本件補正前の請求項１は、 
「表示パネルに互いに直交するように配設された複数の信号ライン及び複数の走査ラインの各交点近傍に配置された複数の表示画素に、前記各信号ラインを介して、表示データの輝度階調成分に基づく階調電流を供給して、前記表示画素に設けられた電流制御型の発光素子を、前記階調電流に基づく所定の輝度階調で発光動作させて、前記表示パネルに所望の画像情報を表示する表示装置において、
　少なくとも、
　前記走査ラインに走査信号を印加して、前記走査ラインに接続された前記表示画素を選択状態に設定する走査駆動手段と、
　前記表示データの輝度階調成分に基づく前記階調電流を生成して、前記信号ラインを介して前記走査駆動手段により前記選択状態に設定された前記表示画素に供給する信号駆動手段と、
　前記信号ラインにプリチャージ電圧を印加して、前記信号ラインに付加される寄生容量を所定の充電状態に設定するプリチャージ手段と、
　前記信号駆動手段により前記表示画素に前記階調電流を供給する際には、前記表示画素に前記階調電流に基づく電荷を保持させるとともに、前記発光素子を非発光状態に設定し、前記走査駆動手段により前記表示画素を非選択状態に設定して、前記表示画素に保持された前記電荷に基づいて前記発光素子を発光動作する状態に設定し、前記プリチャージ手段により前記寄生容量を所定の充電状態に設定する際には、前記発光素子を非発光状態に設定するように制御する動作制御手段と、
を備え、
　前記寄生容量は、前記表示画素に形成され、前記発光素子の発光動作に寄与する保持容量を含み、前記表示画素は、少なくとも、前記階調電流に基づく電荷を電圧成分として保持する前記保持容量と、該保持容量に保持された電圧成分に基づいて、前記発光素子を発光動作させる発光駆動電流を流す能動素子を備えた駆動電流制御手段と、を備えた発光駆動回路を有し、
　前記プリチャージ電圧は、前記表示画素に設けられた前記発光素子を特定の輝度階調で発光動作させる際に前記保持容量に充電される電圧に基づく第１の電圧、及び、前記駆動電流制御手段を構成する前記能動素子をオフ状態に保持するために前記保持容量に充電される電圧に基づく第２の電圧、のいずれかに設定されることを特徴とする表示装置。」から、
「表示パネルに互いに直交するように配設された複数の信号ライン及び複数の走査ラインの各交点近傍に配置された複数の表示画素に、前記各信号ラインを介して、表示データの輝度階調成分に基づく階調電流を供給して、前記表示画素に設けられた電流制御型の発光素子を、前記階調電流に基づく所定の輝度階調で発光動作させて、前記表示パネルに所望の画像情報を表示する表示装置において、
　
前記各表示画素は、前記階調電流に基づく電荷を電圧成分として保持する保持容量と、一端が前記発光素子の一端に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる能動素子を有する駆動電流制御手段と、を備えた発光駆動回路を有し、
　少なくとも、
　前記
各
各
各
　前記表示データの輝度階調成分に基づく前記階調電流を生成して、前記
各
各
　前記
各
各
　
前記各表示画素の、前記能動素子の前記電流路の他端に前記電源電圧を供給する電源駆動手段と、
　
前記プリチャージ手段により前記寄生容量を所定の充電状態に設定する際、及び、
して、前記各表示画素の前記保持容量に前記階調電流に基づく電荷を保持させる
前記電源駆動手段を制御して、前記電源電圧を、
する第１の電源電圧に設定
各
前記発光素子を発光状態に設定する際には
前記電源駆動手段を制御して、前記電源電圧を、前記発光素子を発光状態に設定する、前記第１の電源電圧と異なる第２の電源電圧に設定して、
各
の前記保持容量
させる
　を備え、
　前記寄生容量は、前記表示画素に
設けられた前記
　前記プリチャージ電圧は、前記表示画素に設けられた前記発光素子を特定の輝度階調で発光動作させる際に前記保持容量に充電される電圧に基づく第１の電圧、及び、前記駆動電流制御手段を構成する前記能動素子をオフ状態に保持するために前記保持容量に充電される電圧に基づく第２の電圧、のいずれかに設定されることを特徴とする表示装置。」に補正された。 （下線は、補正箇所を明示するために請求人が付した。）
　
　したがって、この補正は、表示画素内の能動素子に関して、「一端が前記発光素子の一端に接続され他端に電源電圧が印加される電流路と制御端子とを有し、前記電流路の一端又は他端の何れかと前記制御端子との間に前記保持容量が設けられて」いるとの発明特定事項を限定し、表示装置が備える発明特定事項に関し、「前記各表示画素の、前記能動素子の前記電流路の他端に前記電源電圧を供給する電源駆動手段」を付加し、動作制御手段が発光素子を非発光状態に設定する制御に関して、そのタイミングを、「前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際」に限定し、その制御動作を「前記電源駆動手段を制御して、前記電源電圧を、前記発光素子を非発光状態に設定する第１の電源電圧に設定」することに限定し、動作制御手段が発光素子を発光状態に設定する制御に関して、その制御動作を「前記電源駆動手段を制御して、前記電源電圧を、前記発光素子を発光状態に設定する、前記第１の電源電圧と異なる第２の電源電圧に設定」することに限定するものである。
　
　以上のことから、この補正は、特許請求の範囲の減縮を目的とするものに該当する。 
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された明細書、特許請求の範囲、及び図面の記載からみて、その請求項１に記載された以下のものと認める。 
　
「表示パネルに互いに直交するように配設された複数の信号ライン及び複数の走査ラインの各交点近傍に配置された複数の表示画素に、前記各信号ラインを介して、表示データの輝度階調成分に基づく階調電流を供給して、前記表示画素に設けられた電流制御型の発光素子を、前記階調電流に基づく所定の輝度階調で発光動作させて、前記表示パネルに所望の画像情報を表示する表示装置において、
　前記各表示画素は、前記階調電流に基づく電荷を電圧成分として保持する保持容量と、一端が前記発光素子の一端に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる能動素子を有する駆動電流制御手段と、を備えた発光駆動回路を有し、
　少なくとも、
　前記各走査ラインに走査信号を印加して、前記各走査ラインに接続された前記各表示画素を選択状態に設定する走査駆動手段と、
　前記表示データの輝度階調成分に基づく前記階調電流を生成して、前記各信号ラインを介して前記走査駆動手段により前記選択状態に設定された前記各表示画素に供給する信号駆動手段と、
　前記各信号ラインにプリチャージ電圧を印加して、前記各信号ラインに付加される寄生容量を所定の充電状態に設定するプリチャージ手段と、
　前記各表示画素の、前記能動素子の前記電流路の他端に前記電源電圧を供給する電源駆動手段と、
　前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際には、前記電源駆動手段を制御して、前記電源電圧を、前記発光素子を非発光状態に設定する第１の電源電圧に設定し、前記走査駆動手段により前記各表示画素を非選択状態に設定して前記発光素子を発光状態に設定する際には、前記電源駆動手段を制御して、前記電源電圧を、前記発光素子を発光状態に設定する、前記第１の電源電圧と異なる第２の電源電圧に設定して、前記各表示画素の前記保持容量に保持された前記電荷に基づいて前記発光素子を発光動作させるように制御する動作制御手段と、
　を備え、
　前記寄生容量は、前記表示画素に設けられた前記保持容量を含み、
　前記プリチャージ電圧は、前記表示画素に設けられた前記発光素子を特定の輝度階調で発光動作させる際に前記保持容量に充電される電圧に基づく第１の電圧、及び、前記駆動電流制御手段を構成する前記能動素子をオフ状態に保持するために前記保持容量に充電される電圧に基づく第２の電圧、のいずれかに設定されることを特徴とする表示装置。」
　
（２）引用発明 
（２−１）引用刊行物の記載事項
　原査定の拒絶の理由に引用され、本願の出願前に頒布された刊行物である特開２００３−１１４６４５号公報（以下「引用刊行物」という。）には、「単位回路の制御に使用されるデータ線の駆動」（発明の名称）の発明に関して、以下の事項が記載されている。 
　
＜記載事項１＞
「【０００１】
【発明の属する技術分野】この発明は、表示装置の画素回路などの単位回路の制御に使用されるデータ線の駆動技術に関する。」
　
＜記載事項２＞
「【０００４】
【発明が解決しようとする課題】図１のような構成で大型表示パネルを構成する場合には、各データ線の静電容量Ｃｄがかなり大きくなる。データ線の静電容量Ｃｄが大きくなるとデータ線の駆動に多大な時間を要する。そのため、従来は、有機ＥＬ素子を用いて大型表示パネルを構成するのに十分高速な駆動を行うことができないという問題があった。
【０００５】なお、上述の問題は、有機ＥＬ素子を用いた表示装置に限らず、有機ＥＬ素子以外の電流駆動型発光素子を用いた表示装置や電気光学装置に共通する問題であった。また、発光素子に限らず、一般に、電流で駆動される電流駆動素子を用いた電子装置に共通する問題であった。
【０００６】本発明は、上述した従来の課題を解決するためになされたものであり、単位回路に接続されたデータ線の駆動時間を短縮することのできる技術を提供することを目的とする。」
　
＜記載事項３＞
「【００３７】Ａ．第１実施例（付加電流その１）：図２は、本発明の第１実施例としての表示装置の概略構成を示すブロック図である。この表示装置は、コントローラ１００と、表示マトリクス部２００（「画素領域」とも呼ぶ）と、ゲートドライバ３００と、データ線ドライバ４００とを有している。コントローラ１００は、表示マトリクス部２００に表示を行わせるためのゲート線駆動信号とデータ線駆動信号を生成して、ゲートドライバ３００とデータ線ドライバ４００にそれぞれ供給する。
【００３８】図３は、表示マトリクス部２００とデータ線ドライバ４００の内部構成を示している。表示マトリクス部２００は、マトリクス状に配列された複数の画素回路２１０を有しており、各画素回路２１０は有機ＥＬ素子２２０をそれぞれ有している。画素回路２１０のマトリクスには、その列方向に沿って伸びる複数のデータ線Ｘｍ（ｍ＝１〜Ｍ）と、行方向に沿って伸びる複数のゲート線Ｙｎ（ｎ＝１〜Ｎ）とがそれぞれ接続されている。なお、データ線は「ソース線」とも呼ばれ、また、ゲート線は「走査線」とも呼ばれる。また、本明細書では、画素回路２１０を「単位回路」あるいは「画素」とも呼ぶ。画素回路２１０内のトランジスタは、通常はＴＦＴで構成される。
【００３９】ゲートドライバ３００は、複数のゲート線Ｙｎの中の１本を選択的に駆動して１行分の画素回路群を選択する。データ線ドライバ４００は、各データ線Ｘｍをそれぞれ駆動するための複数の単一ラインドライバ４１０を有している。これらの単一ラインドライバ４１０は、各データ線Ｘｍを介して画素回路２１０にデータ信号を供給する。このデータ信号に応じて画素回路２１０の内部状態（後述する）が設定されると、これに応じて有機ＥＬ素子２２０に流れる電流値が制御され、この結果、有機ＥＬ素子２２０の発光の階調が制御される。
【００４０】コントローラ１００（図２）は、画素領域２００の表示状態を表す表示データ（画像データ）を、各有機ＥＬ素子２２０の発光の階調を表すマトリクスデータに変換する。マトリクスデータは、１行分の画素回路群を順次選択するためのゲート線駆動信号と、選択された画素回路群の有機ＥＬ素子２２０に供給するデータ線信号のレベルを示すデータ線駆動信号とを含んでいる。ゲート線駆動信号とデータ線駆動信号は、ゲートドライバ３００とデータ線ドライバ４００にそれぞれ供給される。コントローラ１００は、また、ゲート線とデータ線の駆動タイミングのタイミング制御を行う。」
　
＜記載事項４＞
「【００４１】図４は、画素回路２１０の内部構成を示す回路図である。この画素回路２１０は、ｍ番目のデータ線とｎ番目のゲート線Ｙｎとの交点に配置されている回路である。なお、ゲート線Ｙｎは、２本のサブゲート線Ｖ１，Ｖ２を含んでいる。
【００４２】画素回路２１０は、データ線Ｘｍに流れる電流値に応じて有機ＥＬ素子２２０の階調を調節する電流プログラム回路である。具体的には、この画素回路２１０は、有機ＥＬ素子２２０の他に、４つのトランジスタ２１１〜２１４と、保持キャパシタ２３０（「保持コンデンサ」あるいは「記憶キャパシタ」とも呼ぶ）とを有している。保持キャパシタ２３０は、データ線Ｘｍを介して供給されたデータ信号に応じた電荷を保持し、これによって、有機ＥＬ素子２２０の発光の階調を調節するためのものである。すなわち、保持キャパシタ２３０は、データ線Ｘｍに流れる電流に応じた電圧を保持する電圧保持手段に相当する。第１ないし第３のトランジスタ２１１〜２１３はｎチャンネル型ＦＥＴであり、第４のトランジスタ２１４はｐチャンネル型ＦＥＴである。有機ＥＬ素子２２０は、フォトダイオードと同様の電流注入型（電流駆動型）の発光素子なので、ここではダイオードの記号で描かれている。
【００４３】第１のトランジスタ２１１のソースは、第２のトランジスタ２１２のドレインと、第３のトランジスタ２１３のドレインと、第４のトランジスタ２１４のドレインと、にそれぞれ接続されている。第１のトランジスタ２１１のドレインは、第４のトランジスタ２１４のゲートに接続されている。保持キャパシタ２３０は、第４のトランジスタ２１４のソースとゲートとの間に接続されている。また、第４のトランジスタ２１４のソースは、電源電位Ｖｄｄにも接続されている。
【００４４】第２のトランジスタ２１２のソースは、データ線Ｘｍを介して単一ラインドライバ４１０（図３）に接続されている。有機ＥＬ素子２２０は、第３のトランジスタ２１３のソースと接地電位との間に接続されている。
【００４５】第１と第２のトランジスタ２１１，２１２のゲートは、第１のサブゲート線Ｖ１に共通に接続されている。また、第３のトランジスタ２１３のゲートは、第２のサブゲート線Ｖ２に接続されている。
【００４６】第１と第２のトランジスタ２１１，２１２は、保持キャパシタ２３０に電荷を蓄積する際に使用されるスイッチングトランジスタである。第３のトランジスタ２１３は、有機ＥＬ素子２２０の発光期間においてオン状態に保たれるスイッチングトランジスタである。また、第４のトランジスタ２１４は、有機ＥＬ素子２２０に流れる電流値を制御するための駆動トランジスタである。第４のトランジスタ２１４の電流値は、保持キャパシタ２３０に保持される電荷量（蓄積電荷量）によって制御される。」
　
＜記載事項５＞
「【００４７】図５は、画素回路２１０の通常の動作を示すタイミングチャートである。ここでは、第１のサブゲート線Ｖ１の電圧値（以下、「第１のゲート信号Ｖ１」も呼ぶ（当審注：『「第１のゲート信号Ｖ１」とも呼ぶ』の誤記と認める。））と、第２のサブゲート線Ｖ２の電圧値（以下、「第２のゲート信号Ｖ２」も呼ぶ（当審注：『「第２のゲート信号Ｖ２」とも呼ぶ』の誤記と認める。））と、データ線Ｘｍの電流値Ｉout （「データ信号Ｉout 」も呼ぶ（当審注：『「データ信号Ｉout」とも呼ぶ』の誤記と認める。））と、有機ＥＬ素子２２０に流れる電流値ＩＥＬとが示されている。
【００４８】駆動周期Ｔｃは、プログラミング期間Ｔｐｒと発光期間Ｔｅｌとに分かれている。ここで、「駆動周期Ｔｃ」とは、表示マトリクス部２００内のすべての有機ＥＬ素子２２０の発光の階調が１回ずつ更新される周期を意味しており、いわゆるフレーム周期と同じものである。階調の更新は、１行分の画素回路群毎に行われ、駆動周期Ｔｃの間にＮ行分の画素回路群の階調が順次更新される。例えば、３０Ｈｚで全画素回路の階調が更新される場合には、駆動周期Ｔｃは約３３ｍｓである。
【００４９】プログラミング期間Ｔｐｒは、有機ＥＬ素子２２０の発光の階調を画素回路２１０内に設定する期間である。本明細書では、画素回路２１０への階調の設定を「プログラミング」と呼んでいる。例えば、駆動周期Ｔｃが約３３ｍｓであり、ゲート線Ｙｎの総数Ｎが４８０本である場合には、プログラミング周期Ｔｐｒは約６９μｓ（＝３３ｍｓ／４８０）以下になる。
【００５０】プログラミング期間Ｔｐｒでは、まず、第２のゲート信号Ｖ２をＬレベルに設定して第３のトランジスタ２１３をオフ状態（閉状態）に保つ。次に、データ線Ｘｍ上に発光階調に応じた電流値Ｉｍを流しながら、第１のゲート信号Ｖ１をＨレベルに設定して第１と第２のトランジスタ２１１，２１２をオン状態（開状態）にする。このとき、このデータ線Ｘｍの単一ラインドライバ４１０（図４）は、発光階調に応じた一定の電流値Ｉｍを流す定電流源として機能する。図５（ｃ）に示されているように、この電流値Ｉｍは、所定の電流値の範囲ＲＩ内において、有機ＥＬ素子２２０の発光の階調に応じた値に設定されている。
【００５１】保持キャパシタ２３０には、第４のトランジスタ２１４（駆動トランジスタ）を流れる電流値Ｉｍに対応した電荷を保持した状態となる。この結果、第４のトランジスタ２１４のソース／ゲート間には、保持キャパシタ２３０に記憶された電圧が印加される。なお、本明細書では、プログラミングに用いられるデータ信号の電流値Ｉｍを「プログラミング電流値Ｉｍ」と呼ぶ。
【００５２】プログラミングが終了すると、ゲートドライバ３００が第１のゲート信号Ｖ１をＬレベルに設定して第１と第２のトランジスタ２１１，２１２をオフ状態とし、また、データ線ドライバ４００はデータ信号Ｉout を停止する。
【００５３】発光期間Ｔｅｌでは、第１のゲート信号Ｖ１をＬレベルに維持して第１と第２のトランジスタ２１１，２１２をオフ状態に保ったまま、第２のゲート信号Ｖ２をＨレベルに設定して第３のトランジスタ２１３をオン状態に設定する。保持キャパシタ２３０には、プログラミング電流値Ｉｍに対応した電圧が予め記憶されているので、第４のトランジスタ２１４にはプログラミング電流値Ｉｍとほぼ同じ電流が流れる。従って、有機ＥＬ素子２２０にもプログラミング電流値Ｉｍとほぼ同じ電流が流れ、この電流値Ｉｍに応じた階調で発光する。このように、保持キャパシタ２３０の電圧（すなわち電荷）が電流値Ｉｍによって書き込まれるタイプの画素回路２１０は、「電流プログラム回路」と呼ばれている。」
　
＜記載事項６＞
「【００９１】Ｅ．第４実施例（プリチャージ）：図１８は、本発明の第４実施例としての表示装置の構成を示すブロック図である。この表示装置は、図３に示した第１実施例の表示装置の各データ線Ｘｍ（ｍ＝１〜Ｍ）に、プリチャージ回路６００をそれぞれ設けたものであり、他の構成は図３に示したものと同じである。但し、データ線の静電容量Ｃｄは図示の便宜上省略されている。なお、単一ラインドライバ４１０としては、付加電流回路４３０（図６）を有していないものを利用することも可能である。
【００９２】各データ線Ｘｍには、表示マトリクス部２００とデータ線ドライバ４００との間の位置に、プリチャージ回路６００がそれぞれ接続されている。プリチャージ回路６００は、定電圧源であるプリチャージ電源Ｖｐと、スイッチングトランジスタ６１０との直列接続で構成されている。この例では、スイッチングトランジスタ６１０はｎチャンネル型ＦＥＴであり、そのソースがデータ線Ｘｎに接続されている。各スイッチングトランジスタ６１０のゲートには、コントローラ１００（図２）からプリチャージ制御信号Ｐｒｅが共通に入力されている。プリチャージ電源Ｖｐの電位は、例えば画素回路２１０の駆動電源電位Ｖｄｄ（図４）に設定される。但し、プリチャージ電圧Ｖｐを任意に調整できるような電源回路を採用してもよい。
【００９３】プリチャージ回路６００は、プログラミングの完了前に各データ線Ｘｍの充電または放電を行って、プログラミングに要する時間を短縮するための回路である。換言すれば、プリチャージ回路６００は、データ線Ｘｍの充電または放電を加速するための充放電加速部として機能する。また、プリチャージ回路６００は、データ信号の変化に伴う電流の変化を加速する加速手段、あるいは、データ線Ｘｍの電荷量を所定の値にリセットするためのリセット手段として機能すると考えることも可能である。
【００９４】図１９は、第４実施例におけるプログラミング期間Ｔｐｒの動作を示す説明図である。この例では、期間ｔ１３〜ｔ１５におけるプログラミングの実行の前に、期間ｔ１１〜ｔ１２においてプリチャージ制御信号ＰｒｅがＨレベルとなり、プリチャージ回路６００による充電または放電（プリチャージ）が行われる。このプリチャージによって、データ線Ｘｍの電荷量Ｑｄは、プリチャージ電圧Ｖｐ（図１８）に応じた所定の値に到達する。換言すれば、データ線Ｘｍがプリチャージ電圧Ｖｐにほぼ等しい電圧まで到達する。その後、期間ｔ１３〜ｔ１５でプログラミングが実行されると、プログラミング期間Ｔｐｒ内の時点ｔ１４において、データ線Ｘｎの電荷量Ｑｄが所望のプログラミング電流値Ｉｍに対応する電荷量Ｑｄｍに到達する。
【００９５】図１９（ｄ）の一点破線は、プリチャージや付加電流を利用しない場合の電荷量の変化を示している。この場合には、プログラミング期間Ｔｐｒの終期においても、データ線の電荷量が所望のプログラミング電流値Ｉｍに対応する電荷量Ｑｄｍに到達していない。従って、画素回路２１０に正しいプログラミング電流Ｉｍを供給して正しい階調にプログラミングすることができない可能性がある。
【００９６】このように、本実施例においては、プリチャージを行ってデータ線の充電または放電を加速することにより、画素回路２１０に対して正しい発光階調を設定することが可能である。また、プログラミング時間を短縮して、有機ＥＬ素子２２０の駆動制御の高速化を図ることができる。
【００９７】なお、データ線ドライバ４００がデータ線Ｘｍの接地電位側に設けられているときには、前述した図９に示されているように、プログラミング電流値Ｉｍが小さいほどデータ線の電荷量Ｑｄが多く、その電圧Ｖｄも大きい。この場合には、プリチャージ電圧Ｖｐは、比較的小さなプログラミング電流値Ｉｍ（すなわち比較的低い発光階調）に相当する比較的高い電圧値に設定することが好ましい。
【００９８】一方、データ線ドライバ４００がデータ線Ｘｍの電源電位側に設けられているときには、前述した図１４に示されているように、プログラミング電流値Ｉｍが小さいほどデータ線の電荷量Ｑｄも少なく、その電圧Ｖｄも小さい。この場合には、プリチャージ電圧Ｖｐは、比較的小さなプログラミング電流値Ｉｍ（すなわち比較的低い発光階調）に相当する比較的低い電圧値に設定することが好ましい。
【００９９】具体的には、プリチャージ電圧Ｖｐは、発光階調の中央値以下の低い階調範囲に相当する電圧値にデータ線をプリチャージできるように設定されることが好ましい。特に、ゼロでない最も低い発光階調の近傍の階調に相当する電圧値にデータ線をプリチャージできるように、プリチャージ電圧Ｖｐを設定することが好ましい。ここで、「ゼロでない最も低い発光階調の近傍の階調」とは、例えば全階調範囲が０〜２５５の場合には、階調値が１から１０程度の範囲の階調を意味している。こうすれば、プログラミング電流値Ｉｍが小さい場合にも、十分高速にプログラミングを行うことが可能である。」
　
＜記載事項７＞
「【０１０３】Ｆ．プリチャージタイミングに関する変形例：図２０は、プリチャージ期間の変形例を示す説明図である。この例では、プリチャージ信号Ｐｒｅがオンとなる期間Ｔｐｃ（「プリチャージ期間Ｔｐｃ」と呼ぶ）が第１のゲート信号Ｖ１がオンとなる期間の初期の部分と重なる時期まで延長されている。この場合には、プリチャージ期間Ｔｐｃの後半において、保持キャパシタ２３０（図４）を充電または放電するための２つのスイッチングトランジスタ２１１，２１２がオン状態となるので、この保持キャパシタ２３０をデータ線Ｘｍと同時にプリチャージすることが可能である。従って、データ線Ｘｍの静電容量Ｃｄに比べて保持キャパシタ２３０の静電容量が無視できない場合には、その後のプログラミングに要する時間を短縮する効果がある。
【０１０４】但し、図１９のように、実際のプログラミングを開始する前にプリチャージを行うようにすれば、プリチャージが保持キャパシタ２３０の蓄積電荷量に与える影響をより小さく抑えることができる可能性がある。
【０１０５】なお、図２０において、プリチャージ期間Ｔｐｃが終了するまでプログラミング電流Ｉｍは０に保たれている。この理由は、プリチャージ期間Ｔｐｃにプログラミング電流Ｉｍを流すと、この電流の一部がプリチャージ回路６００にも流れるので、無駄な電力を消費してしまうからである。但し、これによる電力消費量の増加が無視できる程度の場合には、プリチャージ期間Ｔｐｃ内にプログラミング電流Ｉｍを流すようにしてもよい。
【０１０６】図２１は、プリチャージ期間の他の変形例を示す説明図である。この例では、プリチャージ期間Ｔｐｃが、第１のゲート信号Ｖ１がオンとなった後に開始されている。この場合にも、保持キャパシタ２３０をデータ線Ｘｍと同時にプリチャージすることが可能である。この例においても、プリチャージ期間Ｔｐｃが終了するまでプログラミング電流Ｉｍを０に保つことが好ましい。
【０１０７】以上の説明から理解できるように、プリチャージ期間は、画素回路のプログラミングが行われる期間の前に設定されてもよく（図１９の例）、あるいは、画素回路のプログラミングが行われる期間の初期の一部を含む期間に設定されても良い（図２０，図２１の場合）。ここで、「プログラミングが行われる期間」とは、ゲート信号Ｖ１がオン状態にあり、データ線Ｘｍと保持キャパシタ２３０とを接続するスイッチングトランジスタ（例えば図４の２１１，２１２）がオン状態にある期間を意味している。換言すれば、プリチャージは、プログラミング期間が完了する前の特定のプリチャージ期間において実行することが好ましい。こうすれば、保持キャパシタ２３０への電荷の蓄積（電圧の記憶）が完了する前にプリチャージが行われるので、プリチャージが原因となって保持キャパシタ２３０の蓄積電荷量が所望の値からずれることを防止することができる。」
　
（２−２）引用刊行物に記載された発明
　上記引用刊行物の段落【００９１】〜【０１０２】、図１８、図１９に記載される第４実施例としての表示装置、および、段落【０１０３】〜【０１０７】、図２０、図２１の第４実施例のプリチャージタイミングに関する変形例に基づいて引用発明を認定する。なお、認定するに際し、該表示装置は、段落【００９１】に「この表示装置は、図３に示した第１実施例の表示装置の各データ線Ｘｍ（ｍ＝１〜Ｍ）に、プリチャージ回路６００をそれぞれ設けたものであり、他の構成は図３に示したものと同じである。」と記載されているように、段落【００３７】〜【００７２】、図１〜図９に記載される第１実施例としての表示装置にプリチャージ回路６００を設けたものとして認定する。
　
（２−２−１）
　上記記載事項１には、「・・・この発明は、表示装置の画素回路などの単位回路の制御に使用されるデータ線の駆動技術に関する。」と記載されている。
　
　この記載によれば、引用刊行物には、「表示装置」の発明が記載されている。
　
（２−２−２）
　上記記載事項３には、「【００３８】図３は、表示マトリクス部２００とデータ線ドライバ４００の内部構成を示している。
表示マトリクス部２００は、マトリクス状に配列された複数の画素回路２１０を有しており、各画素回路２１０は有機ＥＬ素子２２０をそれぞれ有している。画素回路２１０のマトリクスには、その列方向に沿って伸びる複数のデータ線Ｘｍ（ｍ＝１〜Ｍ）と、行方向に沿って伸びる複数のゲート線Ｙｎ（ｎ＝１〜Ｎ）とがそれぞれ接続されている。
各データ線Ｘｍを介して画素回路２１０にデータ信号を供給する。
これに応じて有機ＥＬ素子２２０に流れる電流値が制御され、この結果、有機ＥＬ素子２２０の発光の階調が制御される。
画素領域２００の表示状態を表す表示データ（画像データ）
画素回路２１０は、ｍ番目のデータ線とｎ番目のゲート線Ｙｎとの交点に配置されている
データ線Ｘｍ上に発光階調に応じた電流値Ｉｍを流し
　
　これらの記載によれば、引用刊行物に記載された「表示装置」は、「表示マトリクス部２００に、マトリクス状に配列された複数の画素回路２１０を有しており、各画素回路２１０は、列方向に沿って伸びる複数のデータ線Ｘｍ（ｍ＝１〜Ｍ）と、行方向に沿って伸びる複数のゲート線Ｙｎ（ｎ＝１〜Ｎ）との各交点に配置されており、前記各データ線Ｘｍを介して前記画素回路２１０にデータ信号の発光階調に応じた電流値Ｉｍを持つ電流を供給し、これに応じて前記各画素回路２１０が有する有機ＥＬ素子２２０に流れる電流値を制御し、前記有機ＥＬ素子２２０の発光階調を制御して、前記表示マトリクス部２００に表示データを表示する」ものである。
　
（２−２−３）
　上記記載事項４には、「【００４２】
画素回路２１０は、データ線Ｘｍに流れる電流値に応じて有機ＥＬ素子２２０の階調を調節する電流プログラム回路である。
保持キャパシタ２３０
とを有している。保持キャパシタ２３０は、データ線Ｘｍを介して供給されたデータ信号に応じた電荷を保持し、これによって、有機ＥＬ素子２２０の発光の階調を調節する
保持キャパシタ２３０は、データ線Ｘｍに流れる電流に応じた電圧を保持する電圧保持手段に相当する。
第１のトランジスタ２１１のソースは、
第３のトランジスタ２１３のドレインと、第４のトランジスタ２１４のドレインと、にそれぞれ接続されている。
第４のトランジスタ２１４のソースは、電源電位Ｖｄｄにも接続されている。
有機ＥＬ素子２２０は、第３のトランジスタ２１３のソースと接地電位との間に接続されている。
第３のトランジスタ２１３は、有機ＥＬ素子２２０の発光期間においてオン状態に保たれるスイッチングトランジスタである。また、第４のトランジスタ２１４は、有機ＥＬ素子２２０に流れる電流値を制御するための駆動トランジスタである。第４のトランジスタ２１４の電流値は、保持キャパシタ２３０に保持される電荷量（蓄積電荷量）によって制御される。
　
　この記載によれば、引用刊行物に記載された「表示装置」の有する前記「画素回路２１０」は、「前記電流値Ｉｍに応じた電荷を電圧として保持する保持キャパシタ２３０と、そのドレインが、前記有機ＥＬ素子２２０の発光期間においてオン状態に保たれる第３のトランジスタ２１３を介して、前記有機ＥＬ素子２２０の一端に接続され、そのソースが電源電位Ｖｄｄに接続され、前記ソースとそのゲート間に前記保持キャパシタ２３０が接続され、前記保持キャパシタ２３０に保持される電荷量によって前記有機ＥＬ素子２２０に流れる電流値を制御する駆動トランジスタである第４トランジスタ２１４とを有する、有機ＥＬ２２０の階調を調節する電流プログラム回路」である。
　
（２−２−４）
　上記記載事項３には、「【００３９】
ゲートドライバ３００は、複数のゲート線Ｙｎの中の１本を選択的に駆動して１行分の画素回路群を選択する。データ線ドライバ４００は、各データ線Ｘｍをそれぞれ駆動するための複数の単一ラインドライバ４１０を有している。これらの単一ラインドライバ４１０は、各データ線Ｘｍを介して画素回路２１０にデータ信号を供給する。
ゲート線Ｙｎは、２本のサブゲート線Ｖ１，Ｖ２を含んでいる。
第１のサブゲート線Ｖ１の電圧値（以下、「第１のゲート信号Ｖ１」とも呼ぶ）と、第２のサブゲート線Ｖ２の電圧値（以下、「第２のゲート信号Ｖ２」とも呼ぶ）
プログラミング期間Ｔｐｒでは、まず、第２のゲート信号Ｖ２をＬレベルに設定して第３のトランジスタ２１３をオフ状態（閉状態）に保つ。次に、データ線Ｘｍ上に発光階調に応じた電流値Ｉｍを流しながら、第１のゲート信号Ｖ１をＨレベルに設定
このとき、このデータ線Ｘｍの単一ラインドライバ４１０（図４）は、発光階調に応じた一定の電流値Ｉｍを流す定電流源として機能する。
電流値Ｉｍは、所定の電流値の範囲ＲＩ内において、有機ＥＬ素子２２０の発光の階調に応じた値に設定されている。
保持キャパシタ２３０には、第４のトランジスタ２１４（駆動トランジスタ）を流れる電流値Ｉｍに対応した電荷を保持した状態となる。
発光期間Ｔｅｌでは、第１のゲート信号Ｖ１をＬレベルに維持して
第２のゲート信号Ｖ２をＨレベルに設定して第３のトランジスタ２１３をオン状態に設定する。
有機ＥＬ素子２２０にもプログラミング電流値Ｉｍとほぼ同じ電流が流れ、この電流値Ｉｍに応じた階調で発光する。
　上記記載事項４の記載によれば、プログラミング期間Ｔｐｒでは、第２のゲート信号Ｖ２をＬレベルに設定して第３のトランジスタ２１３をオフ状態（閉状態）に保ったあとに、データ線Ｘｍ上に発光階調に応じた電流値Ｉｍを流しながら、第１のゲート信号Ｖ１をＨレベルに設定するものであるから、プログラミング期間Ｔｐｒの第１のゲート信号Ｖ１をＨレベルに設定してある期間は、第２のゲート信号Ｖ２をＬレベルに設定されている期間でもある。
　
　よって、これらの記載、及び、上記事項によれば、引用刊行物に記載された「表示装置」は、「それぞれが第１のサブゲート線Ｖ１，第２のサブゲート線Ｖ２を含む、前記複数のゲート線Ｙｎを駆動するゲートドライバ３００であって、プログラミング期間Ｔｐｒでは、前記第２のサブゲート線Ｖ２の第２のゲート信号Ｖ２をＬレベルに設定して前記第３のトランジスタ２１３をオフ状態に保ち、かつ、前記第１のサブゲート線Ｖ１の第１のゲート信号Ｖ１をＨレベルに設定することにより前記複数のゲート線Ｙｎの中の一本を選択的に駆動して１行分の画素回路２１０群を階調の設定のために選択して、前記１行分の画素回路２１０群内の前記保持キャパシタ２３０に、前記電流値Ｉｍに対応した電荷を保持させ、発光期間Ｔｅｌでは、前記第１のゲート信号Ｖ１をＬレベルに維持し、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、この電流値Ｉｍに応じた階調で前記有機ＥＬ素子２２０を発光させるゲートドライバ３００」と、「前記データ信号の発光階調に応じて前記電流値Ｉｍを持つ電流を生成して、前記各データ線Ｘｍを介して前記ゲートドライバ３００によって選択的に駆動されている前記１行分の画素回路２１０群に供給する複数の単一ラインドライバ４１０を有するデータ線ドライバ４００」を有している。
　
（２−２−５）
　上記記載事項６には、「【００９２】
各データ線Ｘｍには、表示マトリクス部２００とデータ線ドライバ４００との間の位置に、プリチャージ回路６００がそれぞれ接続されている。プリチャージ回路６００は、定電圧源であるプリチャージ電源Ｖｐと、スイッチングトランジスタ６１０との直列接続で構成されている。
プリチャージ電圧Ｖｐ
プリチャージ回路６００は、プログラミングの完了前に各データ線Ｘｍの充電または放電を行って、
データ線Ｘｍの電荷量を所定の値にリセットするためのリセット手段として機能する
プリチャージ信号Ｐｒｅがオンとなる期間Ｔｐｃ（「プリチャージ期間Ｔｐｃ」と呼ぶ）
　
　この記載によれば、引用刊行物に記載された「表示装置」は、「プリチャージ信号Ｐｒｅがオンとなるプリチャージ期間Ｔｐｃの間、前記各データ線Ｘｍにプリチャージ電圧Ｖｐを印加して、前記各データ線Ｘｍの電荷量を所定の値にリセットするプリチャージ回路６００」とを有している。
　
（２−２−６）
　上記記載事項３には、「【００３７】・・・
コントローラ１００は、表示マトリクス部２００に表示を行わせるためのゲート線駆動信号とデータ線駆動信号を生成して、ゲートドライバ３００とデータ線ドライバ４００にそれぞれ供給する。
プリチャージ回路６００は、定電圧源であるプリチャージ電源Ｖｐと、スイッチングトランジスタ６１０との直列接続で構成されている。この例では、各スイッチングトランジスタ６１０のゲートには、コントローラ１００（図２）からプリチャージ制御信号Ｐｒｅが共通に入力されている。
プリチャージ信号Ｐｒｅがオンとなる期間Ｔｐｃ（「プリチャージ期間Ｔｐｃ」と呼ぶ）が第１のゲート信号Ｖ１がオンとなる期間の初期の部分と重なる時期まで延長されている。
保持キャパシタ２３０（図４）を充電または放電するための２つのスイッチングトランジスタ２１１，２１２がオン状態となるので、この保持キャパシタ２３０をデータ線Ｘｍと同時にプリチャージすることが可能である。
　また、（２−２−４）によれば、引用刊行物に記載された「表示装置」において、プログラミング期間Ｔｐｒでは、前記ゲートドライバ３００を制御して、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定し、かつ、前記第１のサブゲート線Ｖ１の第１のゲート信号Ｖ１をＨレベルに設定して、前記複数のゲート線Ｙｎの中の一本が選択的に駆動されて前記１行分の画素回路２１０群を階調の設定のために選択すると共に、前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させており、発光期間Ｔｅｌでは、前記ゲートドライバ３００を制御して、前記第１のゲート信号Ｖ１をＬレベルに維持して前記画素回路２１０群を階調の設定のために選択された状態にしておらず、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させるように、制御が行われている。
　
　上記記載事項、及び、上記（２−２−４）により導かれる事項を総合すれば、引用刊行物に記載された「表示装置」は、「前記プリチャージ信号Ｐｒｅがオンとなる前記プリチャージ期間Ｔｐｃと、前記第１のゲート信号Ｖ１がオンである前記プログラミング期間Ｔｐｒが重なっている期間には、前記プリチャージ回路６００により、前記データ線Ｘｍと選択された前記画素回路２１０内の保持キャパシタ２３０とを同時にプリチャージすることが行われており、かつ、前記ゲートドライバ３００を制御して、前記第１のサブゲート線Ｖ１の第１のゲート信号Ｖ１をＨレベルに設定して、前記複数のゲート線Ｙｎの中の一本が選択的に駆動されて前記１行分の画素回路２１０群を階調の設定のために選択すると共に、前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させており、かつ、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定しており、前記発光期間Ｔｅｌでは、前記ゲートドライバ３００を制御して、前記第１のゲート信号Ｖ１をＬレベルに維持して前記画素回路２１０群を階調の設定のために選択された状態にしておらず、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させるように制御するコントローラ１００」を有している。
　また、引用刊行物に記載された「表示装置」において、「データ線Ｘｍと選択された前記画素回路２１０内の保持キャパシタ２３０とは、同時にプリチャージされる」ものであるともいえる。
　
（２−２−７）
　上記記載事項６には、「【００９９】具体的には、プリチャージ電圧Ｖｐは、発光階調の中央値以下の低い階調範囲に相当する電圧値にデータ線をプリチャージできるように設定されることが好ましい。特に、
ゼロでない最も低い発光階調の近傍の階調に相当する電圧値にデータ線をプリチャージできるように、プリチャージ電圧Ｖｐを設定する
　
　この記載によれば、引用刊行物に記載された「表示装置」の前記「プリチャージ電圧Ｖｐ」は、「ゼロでない最も低い発光階調の近傍の階調に相当する電圧値に前記データ線Ｘｍをプリチャージできる電圧値」である。
　
（２−２−８）
　（２−２−１）〜（２−２−７）によれば、引用刊行物には、以下の発明が記載されている。
「表示マトリクス部２００に、マトリクス状に配列された複数の画素回路２１０を有しており、各画素回路２１０は、列方向に沿って伸びる複数のデータ線Ｘｍ（ｍ＝１〜Ｍ）と、行方向に沿って伸びる複数のゲート線Ｙｎ（ｎ＝１〜Ｎ）との各交点に配置されており、前記各データ線Ｘｍを介して前記画素回路２１０にデータ信号の発光階調に応じた電流値Ｉｍを持つ電流を供給し、これに応じて前記各画素回路２１０が有する有機ＥＬ素子２２０に流れる電流値を制御し、前記有機ＥＬ素子２２０の発光階調を制御して、前記表示マトリクス部２００に表示データを表示する表示装置であって、
　前記画素回路２１０は、前記電流値Ｉｍに応じた電荷を電圧として保持する保持キャパシタ２３０と、そのドレインが、前記有機ＥＬ素子２２０の発光期間においてオン状態に保たれる第３のトランジスタ２１３を介して、前記有機ＥＬ素子２２０の一端に接続され、そのソースが電源電位Ｖｄｄに接続され、前記ソースとそのゲート間に前記保持キャパシタ２３０が接続され、前記保持キャパシタ２３０に保持される電荷量によって前記有機ＥＬ素子２２０に流れる電流値を制御する駆動トランジスタである第４トランジスタ２１４とを有する、有機ＥＬ２２０の階調を調節する電流プログラム回路であって、
　少なくとも、
　それぞれが第１のサブゲート線Ｖ１，第２のサブゲート線Ｖ２を含む、前記複数のゲート線Ｙｎを駆動するゲートドライバ３００であって、プログラミング期間Ｔｐｒでは、前記第２のサブゲート線Ｖ２の第２のゲート信号Ｖ２をＬレベルに設定して前記第３のトランジスタ２１３をオフ状態に保ち、かつ、前記第１のサブゲート線Ｖ１の第１のゲート信号Ｖ１をＨレベルに設定することにより前記複数のゲート線Ｙｎの中の一本を選択的に駆動して１行分の画素回路２１０群を階調の設定のために選択し、発光期間Ｔｅｌでは、前記第１のゲート信号Ｖ１をＬレベルに維持し、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、この電流値Ｉｍに応じた階調で前記有機ＥＬ素子２２０を発光させるゲートドライバ３００と、
　前記データ信号の発光階調に応じて前記電流値Ｉｍを持つ電流を生成して、前記各データ線Ｘｍを介して前記ゲートドライバ３００によって選択的に駆動される前記１行分の画素回路２１０群に供給する複数の単一ラインドライバ４１０を有するデータ線ドライバ４００と、
　プリチャージ信号Ｐｒｅがオンとなるプリチャージ期間Ｔｐｃの間、前記各データ線Ｘｍにプリチャージ電圧Ｖｐを印加して、データ線Ｘｍの電荷量を所定の値にリセットするプリチャージ回路６００と、
　前記プリチャージ信号Ｐｒｅがオンとなる前記プリチャージ期間Ｔｐｃと、前記第１のゲート信号Ｖ１がオンである前記プログラミング期間Ｔｐｒが重なっている期間には、前記プリチャージ回路６００により、前記データ線Ｘｍと選択された前記画素回路２１０内の保持キャパシタ２３０とを同時にプリチャージすることが行われており、かつ、前記ゲートドライバ３００を制御して、前記第１のサブゲート線Ｖ１の第１のゲート信号Ｖ１をＨレベルに設定して、前記複数のゲート線Ｙｎの中の一本が選択的に駆動されて前記１行分の画素回路２１０群を階調の設定のために選択すると共に、前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させており、かつ、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定しており、前記発光期間Ｔｅｌでは、前記ゲートドライバ３００を制御して、前記第１のゲート信号Ｖ１をＬレベルに維持して前記画素回路２１０群を階調の設定のために選択された状態にしておらず、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させるように制御するコントローラ１００と、
　を有し、
　前記データ線Ｘｍと選択された前記画素回路２１０内の保持キャパシタ２３０とは、同時にプリチャージされるものであって、
　前記プリチャージ電圧Ｖｐは、ゼロでない最も低い発光階調の近傍の階調に相当する電圧値に前記データ線Ｘｍをプリチャージできる電圧値である
　表示装置。」（以下、「引用発明」という。）
　
（３）対比
　本願補正発明と引用発明とを比較する。 
　
（３−１）
　引用発明の「表示装置」は、本願補正発明の「表示装置」に相当し、以下同様に、「表示マトリクス部２００」は「表示パネル」に、「複数のデータ線Ｘｍ」は「複数の信号ライン」に、「複数のゲート線Ｙｎ」は「複数の走査ライン」に、「画素回路２１０」は「表示画素」の回路に、「データ信号」は「表示データ」に、「データ信号の発光階調」は「表示データの輝度階調成分」に、「電流値Ｉｍを持つ電流」は「階調電流」に、「有機ＥＬ素子２２０」は「電流制御型の発光素子」に、「表示データ」は「画像情報」に相当する。
　
　よって、引用発明の「表示マトリクス部２００に、マトリクス状に配列された複数の画素回路２１０を有しており、各画素回路２１０は、列方向に沿って伸びる複数のデータ線Ｘｍ（ｍ＝１〜Ｍ）と、行方向に沿って伸びる複数のゲート線Ｙｎ（ｎ＝１〜Ｎ）との各交点に配置されており、前記各データ線Ｘｍを介して前記画素回路２１０にデータ信号の発光階調に応じた電流値Ｉｍを持つ電流を供給し、これに応じて前記各画素回路２１０が有する有機ＥＬ素子２２０に流れる電流値を制御し、前記有機ＥＬ素子２２０の発光階調を制御して、前記表示マトリクス部２００に表示データを表示する表示装置」は、本願補正発明の「表示パネルに互いに直交するように配設された複数の信号ライン及び複数の走査ラインの各交点近傍に配置された複数の表示画素に、前記各信号ラインを介して、表示データの輝度階調成分に基づく階調電流を供給して、前記表示画素に設けられた電流制御型の発光素子を、前記階調電流に基づく所定の輝度階調で発光動作させて、前記表示パネルに所望の画像情報を表示する表示装置」に相当する。
　
（３−２）
ア．引用発明の「前記電流値Ｉｍに応じた電荷を電圧として保持する保持キャパシタ２３０」は、本願補正発明の「前記階調電流に基づく電荷を電圧成分として保持する保持容量」に相当し、また、引用発明の「第４トランジスタ２１４」は、本願補正発明の「能動素子」に相当する。
　
　そして、引用発明の「第４トランジスタ２１４」は、そのドレインが第３トランジスタ２１３を介して有機ＥＬ素子２２０の一端に接続され、そのソースが電源電位Ｖｄｄに接続されているから、引用発明の「第４トランジスタ２１４」のソース−ドレイン間のチャネルは、一端が第３トランジスタ２１３を介して有機ＥＬ素子２２０の一端に接続され、他端に電源電位Ｖｄｄが印加される電流路である。
　よって、引用発明の、一端が第３トランジスタ２１３を介して有機ＥＬ素子２２０の一端に接続され、他端に電源電位Ｖｄｄが印加される、「第４トランジスタ２１４」のソース−ドレイン間のチャネルと、本願補正発明の「能動素子」の有する「一端が前記発光素子の一端に接続され他端に電源電圧が印加される電流路」とは共に、「一端が前記発光素子の一端に電気的に接続され他端に電源電圧が印加される電流路」である点で共通する。
　
　また、引用発明の「第４トランジスタ２１４」の「ゲート」は、本願補正発明の「能動素子」の有する「制御端子」に相当するから、引用発明の「第４トランジスタ２１４」の「前記ソースとそのゲート間に前記保持キャパシタ２３０が接続され」ることは、本願補正発明の「前記電流路の一端又は他端の何れかと前記制御端子との間に前記保持容量が設けられ」ることに相当する。
　
　そして、引用発明の「前記保持キャパシタ２３０に保持される電荷量によって前記有機ＥＬ素子２２０に流れる電流値を制御する」ことは、本願補正発明の「前記保持容量に保持された電圧成分に基づく発光駆動電流を前記発光素子に供給して該発光素子を発光動作させる」ことに相当する。
　
　よって、引用発明の、そのドレインが、前記有機ＥＬ素子２２０の発光期間においてオン状態に保たれる第３のトランジスタ２１３を介して、前記有機ＥＬ素子２２０の一端に接続され、そのソースが電源電位Ｖｄｄに接続され、前記ソースとそのゲート間に前記保持キャパシタ２３０が接続され、前記保持キャパシタ２３０に保持される電荷量によって前記有機ＥＬ素子２２０に流れる電流値を制御する駆動トランジスタである、「第４トランジスタ２１４」と、本願補正発明の、一端が前記発光素子の一端に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる、「能動素子」とは共に、「一端が前記発光素子の一端に電気的に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる能動素子」である点で共通する。
　
イ．そして、引用発明の「第３トランジスタ２１３」と「第４トランジスタ２１４」は、一体として、本願補正発明の「能動素子」を有する「駆動電流制御手段」に相当し、引用発明の「保持キャパシタ２３０」と「第３トランジスタ２１３」と「第４トランジスタ２１４」とを有する「電流プログラム回路」である「画素回路２１０」は、本願補正発明の「保持容量」と「駆動電流制御手段」を備えた「発光駆動回路」を有する「表示画素」に相当する。
　
ウ．したがって、引用発明の「前記画素回路２１０は、前記電流値Ｉｍに応じた電荷を電圧として保持する保持キャパシタ２３０と、そのドレインが、前記有機ＥＬ素子２２０の発光期間においてオン状態に保たれる第３のトランジスタ２１３を介して、前記有機ＥＬ素子２２０の一端に接続され、そのソースが電源電位Ｖｄｄに接続され、前記ソースとそのゲート間に前記保持キャパシタ２３０が接続され、前記保持キャパシタ２３０に保持される電荷量によって前記有機ＥＬ素子２２０に流れる電流値を制御する駆動トランジスタである第４トランジスタ２１４とを有する、有機ＥＬ２２０の階調を調節する電流プログラム回路である」ことと、本願補正発明の「前記各表示画素は、前記階調電流に基づく電荷を電圧成分として保持する保持容量と、一端が前記発光素子の一端に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる能動素子を有する駆動電流制御手段と、を備えた発光駆動回路を有する」こととは共に、「前記各表示画素は、前記階調電流に基づく電荷を電圧成分として保持する保持容量と、一端が前記発光素子の一端に電気的に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる能動素子を有する駆動電流制御手段と、を備えた発光駆動回路を有する」ことである点で共通する。
　
（３−３）
　引用発明の「第１のゲート信号Ｖ１」は、本願補正発明の「走査信号」に相当し、引用発明の「１行分の画素回路２１０群」は、本願補正発明の「前記各走査ラインに接続された前記各表示画素」ことに相当し、引用発明の「前記複数のゲート線Ｙｎの中の一本を選択的に駆動して１行分の画素回路２１０群を階調の設定のために選択」することは、本願補正発明の「前記各走査ラインに接続された前記各表示画素を選択状態に設定する」ことに相当する。
　
　よって、引用発明の「それぞれが第１のサブゲート線Ｖ１，第２のサブゲート線Ｖ２を含む、複数のゲート線Ｙｎを駆動するゲートドライバ３００であって、・・・前記第１のサブゲート線Ｖ１の第１のゲート信号Ｖ１をＨレベルに設定することにより前記複数のゲート線Ｙｎの中の一本を選択的に駆動して１行分の画素回路２１０群を階調の設定のために選択」する「ゲートドライバ３００」は、本願補正発明の「前記各走査ラインに走査信号を印加して、前記各走査ラインに接続された前記各表示画素を選択状態に設定する走査駆動手段」に相当する。
　
（３−４）
　引用発明の「前記データ信号の発光階調に応じて前記電流値Ｉｍを持つ電流を生成」することは、本願補正発明の「前記表示データの輝度階調成分に基づく前記階調電流を生成」することに相当し、引用発明の「前記ゲートドライバ３００によって選択的に駆動される前記１行分の画素回路２１０群」は、本願補正発明の「前記走査駆動手段により前記選択状態に設定された前記各表示画素」に相当する。
　
　よって、引用発明の「前記データ信号の発光階調に応じて前記電流値Ｉｍを持つ電流を生成して、前記各データ線Ｘｍを介して前記ゲートドライバ３００によって選択的に駆動される前記１行分の画素回路２１０群に供給する複数の単一ラインドライバ４１０を有するデータ線ドライバ４００」は、本願補正発明の「前記表示データの輝度階調成分に基づく前記階調電流を生成して、前記各信号ラインを介して前記走査駆動手段により前記選択状態に設定された前記各表示画素に供給する信号駆動手段」に相当する。
　
（３−５）
　引用発明の「プリチャージ電圧Ｖｐ」は、本願補正発明の「プリチャージ電圧」に相当し、引用発明の「データ線Ｘｍの電荷量」は、本願補正発明の「前記各信号ラインに付加される寄生容量」に「充電」された電荷量に相当する。
　
　よって、引用発明の「・・・前記各データ線Ｘｍにプリチャージ電圧Ｖｐを印加して、データ線Ｘｍの電荷量を所定の値にリセットするプリチャージ回路６００」は、本願補正発明の「前記各信号ラインにプリチャージ電圧を印加して、前記各信号ラインに付加される寄生容量を所定の充電状態に設定するプリチャージ手段」に相当する。
　
（３−６）
ア．引用発明の「前記プリチャージ回路６００により、前記データ線Ｘｍと・・・とを同時にプリチャージする」ことは、本願補正発明の「前記プリチャージ手段により前記寄生容量を所定の充電状態に設定する」ことに相当し、引用発明の「・・・前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させ」ることは、本願補正発明の「前記信号駆動手段により前記各表示画素に前記階調電流を供給して、前記各表示画素の前記保持容量に前記階調電流に基づく電荷を保持させる」ことに相当する。
　また、引用発明の「前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定」することと、本願補正発明の「前記電源駆動手段を制御して、前記電源電圧を、前記発光素子を非発光状態に設定する第１の電源電圧に設定」することとは共に、「行毎の被駆動要素を、前記発光素子を非発光状態にする電圧に設定するよう制御する」ことである点で共通する。
　
　よって、引用発明の「前記プリチャージ信号Ｐｒｅがオンとなる前記プリチャージ期間Ｔｐｃと、前記第１のゲート信号Ｖ１がオンである前記プログラミング期間Ｔｐｒが重なっている期間には、前記プリチャージ回路６００により、前記データ線Ｘｍと選択された前記画素回路２１０内の保持キャパシタ２３０とを同時にプリチャージすることが行われており、かつ、前記ゲートドライバ３００を制御して、前記第１のサブゲート線Ｖ１の第１のゲート信号Ｖ１をＨレベルに設定して、前記複数のゲート線Ｙｎの中の一本が選択的に駆動されて前記１行分の画素回路２１０群が階調の設定のために選択すると共に、前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させており、かつ、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定」することと、本願補正発明の「前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際には、前記電源駆動手段を制御して、前記電源電圧を、前記発光素子を非発光状態に設定する第１の電源電圧に設定」することとは共に、「前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際には、行毎の被駆動要素を、前記発光素子を非発光状態にする電圧に設定するよう制御する」ことである点で共通する。
　
イ．引用発明の「前記発光期間Ｔｅｌでは、前記ゲートドライバ３００を制御して、前記第１のゲート信号Ｖ１をＬレベルに維持して前記画素回路２１０群を階調の設定のために選択された状態にしていない」ことは、本願補正発明の「前記走査駆動手段により前記各表示画素を非選択状態に設定して前記発光素子を発光状態に設定する」ことに相当する。
　そして、引用発明の「前記ゲートドライバ３００を制御して、・・・前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させる」ことと、本願補正発明の「前記電源駆動手段を制御して、前記電源電圧を、前記発光素子を発光状態に設定する、前記第１の電源電圧と異なる第２の電源電圧に設定して、前記各表示画素の前記保持容量に保持された前記電荷に基づいて前記発光素子を発光動作させる」こととは共に、「前記行毎の被駆動要素を、前記発光素子を発光状態にする電圧に設定するよう制御する」ことである点で共通する。
　
　よって、引用発明の「前記発光期間Ｔｅｌでは、前記ゲートドライバ３００を制御して、前記第１のゲート信号Ｖ１をＬレベルに維持して前記画素回路２１０群は階調の設定のために選択された状態にしておらず、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させる」ことと、本願補正発明の「前記走査駆動手段により前記各表示画素を非選択状態に設定して前記発光素子を発光状態に設定する際には、前記電源駆動手段を制御して、前記電源電圧を、前記発光素子を発光状態に設定する、前記第１の電源電圧と異なる第２の電源電圧に設定して、前記各表示画素の前記保持容量に保持された前記電荷に基づいて前記発光素子を発光動作させる」こととは共に、「前記走査駆動手段により前記各表示画素を非選択状態に設定して前記発光素子を発光状態に設定する際には、前記行毎の被駆動要素を、前記発光素子を発光状態にする電圧に設定するよう制御する」ことである点で共通する。
　
ウ．したがって、引用発明の「前記プリチャージ信号Ｐｒｅがオンとなる前記プリチャージ期間Ｔｐｃと、前記第１のゲート信号Ｖ１がオンである前記プログラミング期間Ｔｐｒが重なっている期間には、前記プリチャージ回路６００により、前記データ線Ｘｍと選択された前記画素回路２１０内の保持キャパシタ２３０とを同時にプリチャージすることが行われており、かつ、前記ゲートドライバ３００を制御して、前記第１のサブゲート線Ｖ１の第１のゲート信号Ｖ１をＨレベルに設定して、前記複数のゲート線Ｙｎの中の一本が選択的に駆動されて前記１行分の画素回路２１０群が階調の設定のために選択すると共に、前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させており、かつ、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定しており、前記発光期間Ｔｅｌでは、前記ゲートドライバ３００を制御して、前記第１のゲート信号Ｖ１をＬレベルに維持して前記画素回路２１０群は階調の設定のために選択された状態にしておらず、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させるように制御するコントローラ１００」と、本願補正発明の「前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際には、前記電源駆動手段を制御して、前記電源電圧を、前記発光素子を非発光状態に設定する第１の電源電圧に設定し、前記走査駆動手段により前記各表示画素を非選択状態に設定して前記発光素子を発光状態に設定する際には、前記電源駆動手段を制御して、前記電源電圧を、前記発光素子を発光状態に設定する、前記第１の電源電圧と異なる第２の電源電圧に設定して、前記各表示画素の前記保持容量に保持された前記電荷に基づいて前記発光素子を発光動作させるように制御する動作制御手段」とは共に、「前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際には、行毎の被駆動要素を、前記発光素子を非発光状態にする電圧に設定するよう制御し、前記走査駆動手段により前記各表示画素を非選択状態に設定して前記発光素子を発光状態に設定する際には、前記行毎の被駆動要素を、前記発光素子を発光状態にする電圧に設定するように制御する動作制御手段」である点で共通する。
　
（３−７）
　引用発明の「前記画素回路２１０内の保持キャパシタ２３０」は、前記プリチャージ回路６００により、前記データ線Ｘｍと同時にプリチャージされるものである。
　一方、本願補正発明の「前記表示画素に設けられた前記保持容量」も、前記プリチャージ手段により所定の充電状態に設定される各走査ラインの寄生容量に含まれるものである。
　
　よって、引用発明の「前記データ線Ｘｍと選択された前記画素回路２１０内の保持キャパシタ２３０とは、同時にプリチャージされるもの」であることは、本願補正発明の「前記寄生容量は、前記表示画素に設けられた前記保持容量を含」むことに相当する。
　
（３−８）
　引用発明の「ゼロでない最も低い発光階調の近傍の階調」は、本願補正発明の「特定の輝度階調」に相当する。
　そして、引用発明において、前記プリチャージ回路６００により、前記データ線Ｘｍと選択された前記画素回路２１０内の保持キャパシタ２３０とを同時にプリチャージすることが行われているから、引用発明において、前記データ線Ｘｍをプリチャージできることは、前記データ線Ｘｍ及び選択された前記画素回路２１０内の保持キャパシタ２３０をプリチャージできることである。
　
　よって、引用発明の「前記プリチャージ電圧Ｖｐは、ゼロでない最も低い発光階調の近傍の階調に相当する電圧値に前記データ線Ｘｍ」及び選択された前記画素回路２１０内の保持キャパシタ２３０を「プリチャージできる電圧値である」ことは、本願補正発明の「前記プリチャージ電圧は、前記表示画素に設けられた前記発光素子を特定の輝度階調で発光動作させる際に前記保持容量に充電される電圧に基づく第１の電圧に設定される」ことに相当する。
　
（３−９）
　したがって、本願補正発明と引用発明の両者は、
「表示パネルに互いに直交するように配設された複数の信号ライン及び複数の走査ラインの各交点近傍に配置された複数の表示画素に、前記各信号ラインを介して、表示データの輝度階調成分に基づく階調電流を供給して、前記表示画素に設けられた電流制御型の発光素子を、前記階調電流に基づく所定の輝度階調で発光動作させて、前記表示パネルに所望の画像情報を表示する表示装置において、
　前記各表示画素は、前記階調電流に基づく電荷を電圧成分として保持する保持容量と、一端が前記発光素子の一端に電気的に接続され他端に電源電圧が印加される電流路と制御端子とを有し、前記電流路の一端又は他端の何れかと前記制御端子との間に前記保持容量が設けられて、前記保持容量に保持された電圧成分に基づく発光駆動電流を前記発光素子に供給して該発光素子を発光動作させる能動素子を有する駆動電流制御手段と、を備えた発光駆動回路を有し、
　少なくとも、
　前記各走査ラインに走査信号を印加して、前記各走査ラインに接続された前記各表示画素を選択状態に設定する走査駆動手段と、
　前記表示データの輝度階調成分に基づく前記階調電流を生成して、前記各信号ラインを介して前記走査駆動手段により前記選択状態に設定された前記各表示画素に供給する信号駆動手段と、
　前記各信号ラインにプリチャージ電圧を印加して、前記各信号ラインに付加される寄生容量を所定の充電状態に設定するプリチャージ手段と、
　前記プリチャージ手段により前記寄生容量を所定の充電状態に設定する際、及び、前記信号駆動手段により前記各表示画素に前記階調電流を供給して、前記各表示画素の前記保持容量に前記階調電流に基づく電荷を保持させる際には、行毎の被駆動要素を、前記発光素子を非発光状態にする電圧に設定するよう制御し、前記走査駆動手段により前記各表示画素を非選択状態に設定して前記発光素子を発光状態に設定する際には、前記行毎の被駆動要素を、前記発光素子を発光状態にする電圧に設定するように制御する動作制御手段と、
　を備え、
　前記寄生容量は、前記表示画素に設けられた前記保持容量を含み、
　前記プリチャージ電圧は、前記表示画素に設けられた前記発光素子を特定の輝度階調で発光動作させる際に前記保持容量に充電される電圧に基づく第１の電圧に設定される表示装置。」の点で一致し、以下の点で相違する。
　
［相違点１］
　能動素子の有する電流路の一端と発光素子の一端の接続に関し、本願補正発明では「直接接続されている」のに対し、引用発明では「第３のトランジスタ２１３を介して接続されている」点。
　
［相違点２］
　発光素子の発光状態／非発光状態を切り替えるための、行毎の被駆動要素の電圧制御に関し、本願補正発明では「前記各表示画素の、前記能動素子の前記電流路の他端に前記電源電圧を供給する電源駆動手段を備え、前記電源駆動手段を制御して、前記電源電圧を、前記発光素子を非発光状態に設定する第１の電源電圧に設定することと、前記電源駆動手段を制御して、前記電源電圧を、前記発光素子を発光状態に設定する、前記第１の電源電圧と異なる第２の電源電圧に設定することを切り替えることにより行っている」のに対し、引用発明では「前記第３のトランジスタ２１３のオン／オフを制御する第２のサブゲート線Ｖ２を設け、前記ゲートドライバ３００を制御して、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定することと、前記ゲートドライバ３００を制御して、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流すように設定することを切り替えることにより行っている」点。
　
（４）当審の判断 
　相違点１、相違点２について、まとめて検討する。
　「有機ＥＬ表示装置の駆動制御」の技術分野において、有機ＥＬ素子の発光状態／非発光状態を切り替えるための、行毎の被駆動要素の電圧制御の具体的態様として、「駆動トランジスタの電流路の一端であるソースまたはドレインの一方と、有機ＥＬ素子を直接接続し、前記駆動トランジスタの前記電流路の他端であるソースまたはドレインの他方に印加する各行の電源電圧を第１の電圧と第２の電圧に切り替え駆動する電源駆動制御手段を設け、行毎の電源電圧を第１の電圧と第２の電圧のいずれに設定するかで、有機ＥＬ素子の発光状態／非発光状態を切り替える制御を行う」ことは、例えば、
・原査定の拒絶の理由に引用された特開２００４−２１２１９号公報の、特に、段落【００５３】、【００５４】、【００６９】〜【００７３】、図３、５に記載されているように、
・また、特表２００２−５１７８０６号公報の、特に、段落【００３１】、【００３２】、図４に記載されているように、
・また、特開２００４−１２８９７号公報の、特に、段落【００４８】、【００４９】、【００５２】〜【００６２】、図２、図６〜図８に記載されているように、
周知技術である。
　
　よって、引用発明において、発光素子の発光状態／非発光状態を切り替えるための、行毎の被駆動要素の電圧制御に関し、ゲートドライバ３００を制御して、第２のサブゲート線Ｖ２の第２のゲート信号Ｖ２をＬレベルに設定して、第３のトランジスタ２１３をオフ状態に保って、有機ＥＬ素子２２０には電流が流れない非発光状態に設定することと、前記ゲートドライバ３００を制御して、前記第２のゲート信号Ｖ２をＨレベルに設定して前記第３のトランジスタ２１３をオン状態に設定して、前記有機ＥＬ素子２２０に電流値Ｉｍとほぼ同じ電流値を持つ電流を流すように設定することを切り替えることにより行うことに代えて、上記周知技術を適用し、第４のトランジスタ２１４（本願補正発明の「能動素子」に相当する。以下同様。）のドレイン（「電流路の一端」）と有機ＥＬ素子２２０（「発光素子」）の一端を直接接続し、第４のトランジスタ２１４（「能動素子」）の他端に印加される電源電位を第１の電圧と第２の電圧に切り替え駆動する電源駆動制御手段を設け、行毎の電源電圧を第１の電圧と第２の電圧のいずれに設定するかで、有機ＥＬ素子の発光状態／非発光状態を切り替える制御を行うことは、当業者が容易になし得たことである。
　
　したがって、上記相違点１、２に係る本願補正発明の発明特定事項は、当業者が引用発明及び上記周知技術に基づいて容易に想到し得たことである。
　
　そして、本願補正発明によってもたらされる効果は、引用発明及び上記周知技術から想定することができない格別のものと認めることもできない。
　
　したがって、本願補正発明は、引用発明及び上記周知技術に基づいて当業者が容易に発明をすることができたものである。
　
　よって、本願補正発明は、特許法第２９条第２項の規定により、特許出願の際独立して特許を受けることができない。
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するから、特許法第１５９条第１項で読み替えて準用する特許法第５３条第１項の規定により却下されるべきものである。 
　
３　本願発明について 
　
 　平成２１年１０月２２日付け手続補正は上記のとおり却下されたので、本願の請求項１に係る発明（以下、「本願発明」という。）は、平成１９年９月２５日付けの手続補正により補正された明細書、特許請求の範囲、及び図面の記載からみて、その請求項１に記載された事項により特定されるとおりのものと認める。（前記「２」の項参照。） 
　
４　引用刊行物 
　
　引用刊行物に記載された引用発明は、前記「２　（２−２−８）」に記載されたとおりである。
　
５　対比・判断
　
　本願発明と引用発明とを比較すると、前記「２　（３−６）」で検討したことから、引用発明の「前記プリチャージ信号Ｐｒｅがオンとなる前記プリチャージ期間Ｔｐｃと、前記第１のゲート信号Ｖ１がオンである前記プログラミング期間Ｔｐｒが重なっている期間には、前記プリチャージ回路６００により、前記データ線Ｘｍと選択された前記画素回路２１０内の保持キャパシタ２３０とを同時にプリチャージすることが行われており、かつ、前記ゲートドライバ３００を制御して、前記第１のサブゲート線Ｖ１の第１のゲート信号Ｖ１をＨレベルに設定して、前記複数のゲート線Ｙｎの中の一本が選択的に駆動されて前記１行分の画素回路２１０群を階調の設定のために選択すると共に、前記データ線ドライバ４００を制御して、前記ゲートドライバ３００によって選択的に駆動されている前記１行分の画素回路２１０群に前記電流値Ｉｍを持つ電流を供給して、前記１行分の画素回路２１０群内の前記保持キャパシタ２３０に、前記電流値Ｉｍに対応した電荷を保持させており、かつ、前記第２のサブゲート線Ｖ２の第２のゲート信号Ｖ２をＬレベルに設定して、前記第３のトランジスタ２１３をオフ状態に保って、前記有機ＥＬ素子２２０には電流が流れない非発光状態に設定しており、前記発光期間Ｔｅｌでは、前記ゲートドライバ３００を制御して、前記第１のゲート信号Ｖ１をＬレベルに維持して前記画素回路２１０群を階調の設定のために選択された状態にしておらず、かつ、前記第２のゲート信号Ｖ２をＨレベルに設定して前記第３のトランジスタ２１３をオン状態に設定して、前記有機ＥＬ素子２２０に前記電流値Ｉｍとほぼ同じ電流値を持つ電流を流して、前記有機ＥＬ素子２２０を発光動作させるように制御するコントローラ１００」は、本願発明の「前記信号駆動手段により前記表示画素に前記階調電流を供給する際には、前記表示画素に前記階調電流に基づく電荷を保持させるとともに、前記発光素子を非発光状態に設定し、前記走査駆動手段により前記表示画素を非選択状態に設定して、前記表示画素に保持された前記電荷に基づいて前記発光素子を発光動作する状態に設定し、前記プリチャージ手段により前記寄生容量を所定の充電状態に設定する際には、前記発光素子を非発光状態に設定するように制御する動作制御手段」に相当する。
　また、前記「２　（３−７）」で検討したことから、引用発明の「前記データ線Ｘｍと選択された前記画素回路２１０内の保持キャパシタ２３０とは、同時にプリチャージされるものである」ことは、本願発明の「前記寄生容量は、前記表示画素に形成され、前記発光素子の発光動作に寄与する保持容量を含む」ことに相当し、前記「２　（３−２）」で検討したことから、引用発明の「前記画素回路２１０は、前記電流値Ｉｍに応じた電荷を電圧として保持する保持キャパシタ２３０と、そのドレインが、前記有機ＥＬ素子２２０の発光期間においてオン状態に保たれる第３のトランジスタ２１３を介して、前記有機ＥＬ素子２２０の一端に接続され、そのソースが電源電位Ｖｄｄに接続され、前記ソースとそのゲート間に前記保持キャパシタ２３０が接続され、前記保持キャパシタ２３０に保持される電荷量によって前記有機ＥＬ素子２２０に流れる電流値を制御する駆動トランジスタである第４トランジスタ２１４とを有する、有機ＥＬ２２０の階調を調節する電流プログラム回路である」ことは、本願発明の「前記表示画素は、少なくとも、前記階調電流に基づく電荷を電圧成分として保持する前記保持容量と、該保持容量に保持された電圧成分に基づいて、前記発光素子を発光動作させる発光駆動電流を流す能動素子を備えた駆動電流制御手段と、を備えた発光駆動回路を有する」ことに相当する。
　他の対比事項については、前記「２　（３−１）」、「２　（３−３）」〜「２　（３−５）」、「２　（３−８）」で検討したとおりである。
　したがって、本願発明と引用発明とは、
「表示パネルに互いに直交するように配設された複数の信号ライン及び複数の走査ラインの各交点近傍に配置された複数の表示画素に、前記各信号ラインを介して、表示データの輝度階調成分に基づく階調電流を供給して、前記表示画素に設けられた電流制御型の発光素子を、前記階調電流に基づく所定の輝度階調で発光動作させて、前記表示パネルに所望の画像情報を表示する表示装置において、
　少なくとも、
　前記走査ラインに走査信号を印加して、前記走査ラインに接続された前記表示画素を選択状態に設定する走査駆動手段と、
　前記表示データの輝度階調成分に基づく前記階調電流を生成して、前記信号ラインを介して前記走査駆動手段により前記選択状態に設定された前記表示画素に供給する信号駆動手段と、
　前記信号ラインにプリチャージ電圧を印加して、前記信号ラインに付加される寄生容量を所定の充電状態に設定するプリチャージ手段と、
　前記信号駆動手段により前記表示画素に前記階調電流を供給する際には、前記表示画素に前記階調電流に基づく電荷を保持させるとともに、前記発光素子を非発光状態に設定し、前記走査駆動手段により前記表示画素を非選択状態に設定して、前記表示画素に保持された前記電荷に基づいて前記発光素子を発光動作する状態に設定し、前記プリチャージ手段により前記寄生容量を所定の充電状態に設定する際には、前記発光素子を非発光状態に設定するように制御する動作制御手段と、
を備え、
　前記寄生容量は、前記表示画素に形成され、前記発光素子の発光動作に寄与する保持容量を含み、前記表示画素は、少なくとも、前記階調電流に基づく電荷を電圧成分として保持する前記保持容量と、該保持容量に保持された電圧成分に基づいて、前記発光素子を発光動作させる発光駆動電流を流す能動素子を備えた駆動電流制御手段と、を備えた発光駆動回路を有し、
　前記プリチャージ電圧は、前記表示画素に設けられた前記発光素子を特定の輝度階調で発光動作させる際に前記保持容量に充電される電圧に基づく第１の電圧、及び、前記駆動電流制御手段を構成する前記能動素子をオフ状態に保持するために前記保持容量に充電される電圧に基づく第２の電圧、のいずれかに設定される表示装置。」の点で一致し、相違点はない。
　
　よって、本願発明と引用発明とは、同一であるから、本願発明は、引用刊行物に記載された発明である。
　
　また、本願発明は、引用発明に基づいて当業者が容易に発明をすることができたものともいえる。
　
６．むすび
　したがって、本願発明は、引用刊行物に記載された発明であるから、特許法第２９条第１項第３号に掲げる発明であるから特許を受けることができない。
　また、本願発明は、引用発明に基づいて当業者が容易に発明をすることができたものであるから、特許法第２９条第２項の規定により特許を受けることができない。
　以上のとおりであるから、他の請求項に係る発明について検討するまでもなく、本願は拒絶すべきものである。
　
　よって、結論のとおり審決する。